(57)【要約】【課題】通知した情報に対して利用者の興味を引くこと。【解決手段】広告サーバ２００は、モバイル端末１００の利用者情報の開示が認められている場合に、モバイル端末１００から利用者情報を取得する。広告サーバ２００は、各利用者情報を基にして、各利用者が共通して興味を持つ商品情報を特定し、特定した商品情報を表示装置４０に表示させると共に、モバイル端末１００に注意を向けさせる。また、広告サーバ２００は、利用者情報を基にして利用者毎に個別推定した商品情報を、各モバイル端末１００に配信する。【選択図】図１
2015118414.tif 000002
【特許請求の範囲】
【請求項１】
複数のモバイル端末と、配信サーバと、表示装置とを有する配信システムであって、
前記配信サーバは、
複数のモバイル端末から利用者情報をそれぞれ取得する取得部と、
商品および該商品の特徴を対応付けた商品情報テーブルと複数の利用者情報とを基にして、利用者情報に対応する特徴を有するか否かを商品毎に判定し、利用者情報に対応した特徴を他の商品よりも多く有する商品を検索する第１判定部と、
前記商品情報テーブルと利用者情報とを基にして、利用者情報に対応する特徴を有する商品を判定する第２判定部と、
前記第１判定部に判定された商品の情報を前記表示装置に出力する出力部と、
前記第２判定部に判定された商品の情報を複数のモバイル端末に配信する配信部と
を有することを特徴とする配信システム。
【請求項２】
前記出力部は、前記モバイル端末に商品の情報を配信したことを利用者に通知する情報を更に前記表示装置に出力することを特徴とする請求項１に記載の配信システム。
【請求項３】
異なる位置に複数の表示装置を有し、前記取得部は、前記モバイル端末の位置情報を更に取得し、前記出力部は、前記位置情報を基にして、商品の情報を出力する表示装置を判定することを特徴とする請求項１に記載の配信システム。
【請求項４】
前記取得部は、前記利用者情報を前記配信サーバに送信することが許容されているモバイル端末から、前記利用者情報を取得することを特徴とする請求項１に記載の配信システム。
【請求項５】
コンピュータが実行する配信方法であって、
複数のモバイル端末から利用者情報をそれぞれ取得し、
商品および該商品の特徴を対応付けた商品情報テーブルと複数の利用者情報とを基にして、利用者情報に対応する特徴を有するか否かを商品毎に判定し、利用者情報に対応した特徴を他の商品よりも多く有する第１商品を検索し、
前記商品情報テーブルと利用者情報とを基にして、利用者情報に対応する特徴を有する第２商品を判定し、
判定した前記第１商品の情報を前記表示装置に出力し、
判定した前記第２商品の情報を複数のモバイル端末に配信する
各処理を実行することを特徴とする配信方法。
【発明の詳細な説明】
【技術分野】
【０００１】
本発明は、配信システム等に関する。
【背景技術】
【０００２】
これまでのモバイル端末向けのモバイル広告は、ＰＣ向けのオンライン店舗の広告と同様であった。例えば、利用者がモバイル端末を操作して、Ｗｅｂページを参照したタイミングまたはアプリケーションを実行したタイミングで、広告画面を表示させていた。
【０００３】
しかし、モバイル端末は、移動中の短期間に使用されるケースが多く、上記のような手法で広告表示を行っても、利用者が広告に興味をもって購買行動に至る可能性が低く、広告の費用対効果が低いと考えられている。
【０００４】
このため、モバイル端末ならではの特徴を生かして広告を配信するＯ２Ｏ（Online  to  Offline）と呼ばれる技術がある。Ｏ２Ｏは、例えば、利用者の位置情報や購入履歴を基にして実店舗から広告を配信するものである。また、ユーザが興味をもつ可能性の高い広告を、公共空間等に存在する大型ディスプレイに表示する技術もある。
【先行技術文献】
【特許文献】
【０００５】
【特許文献１】特開２００２−３２６５２号公報
【特許文献２】特開２００３−５０８９７号公報
【特許文献３】特開２００３−１２２９９４号公報
【特許文献４】特開２００４−１５７４９８号公報
【発明の概要】
【発明が解決しようとする課題】
【０００６】
しかしながら、上述した従来技術では、通知した情報に対して利用者の興味を引くことが出来ないという問題がある。
【０００７】
例えば、利用者の位置情報や購入履歴を基にして実店舗から広告を配信した場合であっても、利用者にとっては不意に配信された一過性の情報であることに変わりはないので、利用者が広告に興味を持つ可能性は低いと考えられる。また、プライバシーの関係で、大型ディスプレイに、個人の利用者が興味を持つ広告を表示することも難しい。
【０００８】
１つの側面では、通知した情報に対して利用者の興味を引くことが出来るシステム、方法を提供することを目的とする。
【課題を解決するための手段】
【０００９】
第１の案では、システムは、複数のモバイル端末と、配信サーバと、表示装置とを有する。配信サーバは、取得部、第１判定部、第２判定部、出力部、配信部を有する。取得部は、複数のモバイル端末から利用者情報をそれぞれ取得する。第１判定部は、商品および該商品の特徴を対応付けた商品情報テーブルと複数の利用者情報とを基にして、利用者情報に対応する特徴を有するか否かを商品毎に判定し、利用者情報に対応した特徴を他の商品よりも多く有する商品を検索する。第２判定部は、商品情報テーブルと利用者情報とを基にして、利用者情報に対応する特徴を有する商品を判定する。出力部は、第１判定部に判定された商品の情報を表示装置に出力する。配信部は、第２判定部に判定された商品の情報を複数のモバイル端末に配信する。
【発明の効果】
【００１０】
本発明の１実施態様によれば、通知した情報に対して利用者の興味を引くことができるという効果を奏する。
【図面の簡単な説明】
【００１１】
【図１】図１は、本実施例に係るシステムの構成を示す図である。
【図２】図２は、本実施例に係るモバイル端末の構成を示す機能ブロック図である。
【図３】図３は、本実施例に係る利用者情報のデータ構造の一例を示す図である。
【図４】図４は、本実施例に係る広告サーバの構成を示す機能ブロック図である。
【図５】図５は、商品情報テーブルのデータ構造の一例を示す図である。
【図６】図６は、利用者情報テーブルのデータ構造の一例を示す図である。
【図７】図７は、個別広告情報のデータ構造の一例を示す図である。
【図８】図８は、位置情報のデータ構造の一例を示す図である。
【図９】図９は、集計テーブルのデータ構造の一例を示す図である。
【図１０】図１０は、位置特定テーブルのデータ構造の一例を示す図である。
【図１１】図１１は、利用者情報を取得するまでのモバイル端末と広告サーバとのやり取りの処理手順を示すフローチャートである。
【図１２】図１２は、モバイル端末の処理手順を示すフローチャートである。
【図１３】図１３は、広告サーバの処理手順を示すフローチャート（１）である。
【図１４】図１４は、広告サーバの処理手順を示すフローチャート（２）である。
【図１５】図１５は、判定処理の処理手順を示すフローチャートである。
【図１６】図１６は、配信プログラムを実行するコンピュータの一例を示す図である。
【発明を実施するための形態】
【００１２】
以下に、本願の開示する配信システムおよび配信方法の実施例を図面に基づいて詳細に説明する。なお、この実施例によりこの発明が限定されるものではない。
【実施例１】
【００１３】
本実施例にかかるシステムの構成の一例について説明する。図１は、本実施例にかかるシステムの構成を示す図である。図１に示すように、このシステムは、アクセスポイント１０と、Ｗｅｂサーバ２０と、ネット店舗３０と、表示装置４０ａ，４０ｂ，４０ｃを有する。また、システムは、モバイル端末１００ａ，１００ｂ，１００ｃ，１００ｄ、広告サーバ２００を有する。アクセスポイント１０、Ｗｅｂサーバ２０、ネット店舗３０、表示装置４０、広告サーバ２００は、ネットワーク５０によって相互に接続される。モバイル端末１００ａ〜１００ｄは、無線通信によってアクセスポイント１０に接続し、アクセスポイント１０を介して、Ｗｅｂサーバ２０、ネット店舗３０、広告サーバ２００にアクセスする。一例として、モバイル端末１００ａ〜１００ｄを示すが、これに限定されるものではなく、システムは他のモバイル端末を有しても良い。以下の説明では適宜、モバイル端末１００ａ〜１００ｄをまとめて、モバイル端末１００と表記する。また、表示装置４０ａ〜４０ｃをまとめて、表示装置４０と表記する。
【００１４】
アクセスポイント１０は、モバイル端末１００と無線接続し、モバイル端末１００とネットワーク５０とを中継する装置である。
【００１５】
Ｗｅｂサーバ２０は、ＨＴＭＬ文書や画像などの情報を蓄積しておき、モバイル端末１００で動作するＷｅｂブラウザからの閲覧要求を受け付けた場合に、ＨＴＭＬ文書や画像などの情報を要求元のモバイル端末１００に送信する装置である。
【００１６】
ネット店舗３０は、各種の商品の情報を蓄積しておき、モバイル端末１００で動作するＷｅｂブラウザからの商品閲覧要求を受け付けた場合に、各種の商品の情報を要求元のモバイル端末１００に送信し、商品をインターネット販売する装置である。
【００１７】
表示装置４０は、広告サーバ２００から受信する情報を表示する装置である。表示装置４０は、例えば、ショッピングモールなどに設置される大型ディスプレイに対応する。
【００１８】
モバイル端末１００は、利用者が持ち歩く情報端末装置である。例えば、モバイル端末１００は、小型ノートパソコン、ＰＤＡ、携帯電話、スマートフォン、携帯ゲーム機などに対応する。利用者は、モバイル端末１００を操作して、Ｗｅｂサーバ２０、ネット店舗３０等にアクセスする。また、利用者は、モバイル端末１００が備える電子マネー機能を用いて、実店舗などで電子決済を行う。
【００１９】
モバイル端末１００は、Ｗｅｂサーバ２０に対するアクセス履歴、ネット店舗３０に対するネットショッピングの履歴、電子マネー機能を用いて商品を購入した商品の購入履歴等を利用者情報として記憶する。
【００２０】
モバイル端末１００は、広告サーバ２００から利用者情報の要求を受け付けた場合に、広告サーバ２００に利用者情報を送信する。また、モバイル端末１００は、広告サーバ２００から商品情報を受信した場合に、商品情報を表示する。
【００２１】
広告サーバ２００は、各モバイル端末１００から複数の利用者情報を取得し、複数の利用者に共通する商品の情報を、表示装置４０に表示させる。また、広告サーバ２００は、モバイル端末１００毎の利用者情報を基にして、個別の利用者情報に対応する商品情報を特定し、各モバイル端末１００に通知する。
【００２２】
次に、本実施例に係るモバイル端末１００ａの構成の一例について説明する。図２は、本実施例に係るモバイル端末の構成を示す機能ブロック図である。なお、モバイル端末１００ｂ〜１００ｄの構成は、モバイル端末１００ａと同様であるため、ここでは説明を省略する。図２に示すように、モバイル端末１００ａは、通信部１０１、入力部１０２、表示部１０３、近距離通信処理部１０４、音声入出力処理部１０５、位置情報処理部１０６、記憶部１０７、更新部１０８、アプリ制御部１０９、制御部１１０を有する。制御部１１０は、各処理部１０１〜１０９のデータの入出力等を制御する。
【００２３】
通信部１０１は、アクセスポイント１０との間で無線通信を実行し、ネットワーク５０に接続する処理部である。例えば、通信部１０１は、無線通信装置に対応する。
【００２４】
入力部１０２は、各種の情報をモバイル端末１００に入力する入力装置であり、例えば、入力ボタン、タッチパネルに対応する。
【００２５】
表示部１０３は、各種の情報を表示する表示装置であり、例えば、液晶ディスプレイやタッチパネル等に対応する。
【００２６】
近距離通信処理部１０４は、ＷｉＦｉ（Wireless  Fidelity）、Bluetooth（登録商標）、赤外線通信などの機能を用いて、近隣に隣接する端末装置と情報のやり取りを行う処理部である。
【００２７】
音声入出力処理部１０５は、利用者の音声入力またはスピーカを用いた音声出力を行う処理部である。
【００２８】
位置情報処理部１０６は、アクセスポイント１０およびＧＰＳ（Global  Positioning  System）の情報を基にして、モバイル端末１００ａの位置情報を算出する処理部である。
【００２９】
記憶部１０７は、利用者情報を記憶する記憶装置である。図３は、本実施例に係る利用者情報のデータ構造の一例を示す図である。図３に示すように、この利用者情報は、開示フラグ、個人情報、購入履歴、閲覧履歴、店舗情報を有する。
【００３０】
開示フラグは、利用者情報を広告サーバ２００に開示するか否かを示す情報である。利用者情報を広告サーバ２００に開示する場合には、開示フラグを「ｏｎ」に設定する。これに対して、利用者情報を広告サーバ２００に開示しない場合には、開示フラグを「ｏｆｆ」に設定する。例えば、利用者は、入力部１０２を操作して、開示フラグを設定する。
【００３１】
個人情報は、利用者の個人情報を含む。例えば、個人情報には、利用者の性別、年齢、職業、年収身長、体重、住居形態、子供の性別、子供の年齢等を含む。例えば、モバイル端末１００ａの利用者は、入力部１０２を操作して、利用者情報の個人情報を設定する。
【００３２】
購入履歴は、利用者が、モバイル端末１００ａを用いて、ネット店舗３０のインターネット販売で購入した商品の履歴情報である。閲覧履歴は、利用者が、モバイル端末１００ａを用いて、Ｗｅｂサーバ２０にアクセスした際の閲覧履歴の情報である。店舗情報は、利用者が、モバイル端末１００ａの電子マネー機能を用いて決済を行った店舗の情報や、インターネット販売で商品を購入した場合のネット店舗の情報を含む。
【００３３】
更新部１０８は、モバイル端末１００ａの各種のアクセスを監視し、記憶部１０７に記憶された利用者情報を更新する処理部である。例えば、利用者がモバイル端末１００ａを用いて、ネット店舗３０のインターネット販売で商品を購入した場合には、利用者情報の購入履歴、店舗情報を更新する。更新部１０８は、利用者が、モバイル端末１００ａを用いて、Ｗｅｂサーバ２０にアクセスした場合には、利用者情報の閲覧履歴を更新する。更新部１０８は、利用者が、モバイル端末１００ａの電子マネー機能を用いて決済を行った場合には、決済を行った店舗を特定し、店舗情報を更新する。
【００３４】
アプリ制御部１０９は、広告サーバ２００とデータ通信を実行し、広告サーバ２００に利用者情報の開示を行う。また、アプリ制御部１０９は、広告サーバ２００から商品情報を受信した場合に、受信した商品情報を、表示部１０３に表示させる。
【００３５】
ここで、アプリ制御部１０９が、利用者情報の開示を行う処理の一例について説明する。アプリ制御部１０９は、アクセスポイント１０を介して、広告サーバ２００に認証要求を行う。アプリ制御部１０９は、認証要求に対する認証応答を広告サーバ２００から受け付けた場合に、利用者情報を参照し、開示フラグの情報を送信する。アプリ制御部１０９は、開示フラグの情報を送信した後に、利用者情報の開示要求を広告サーバ２００から受け付けた場合に、端末ＩＤを付与した利用者情報を広告サーバ２００に送信する。端末ＩＤは、モバイル端末１００ａを一意に識別する情報である。
【００３６】
また、アプリ制御部１０９は、広告サーバ２００から位置情報の要求を受け付けた場合には、位置情報を位置情報処理部１０６から取得する。アプリ制御部１０９は、位置情報に端末ＩＤを付与して、広告サーバ２００に送信する。
【００３７】
次に、図１に示した広告サーバ２００の構成の一例について説明する。図４は、本実施例に係る広告サーバの構成を示す機能ブロック図である。図４に示すように、この広告サーバ２００は、通信部２１０、入力部２２０、表示部２３０、記憶部２４０、制御部２５０を有する。
【００３８】
通信部２１０は、ネットワーク５０を介して、モバイル端末１００とデータ通信を実行する処理部である。通信部２１０は、例えば、通信装置に対応する。後述する制御部２５０は、通信部２１０を介して、モバイル端末１００とデータをやり取りする。
【００３９】
入力部２２０は、各種の情報を広告サーバ２００に入力する入力装置であり、例えば、キーボードやマウス、タッチパネル等に対応する。
【００４０】
表示部２３０は、制御部２５０から出力される情報を表示する表示装置である。例えば、表示部２３０は、モニタ、液晶ディスプレイ、タッチパネル等に対応する。
【００４１】
記憶部２４０は、商品情報テーブル２４１、利用者情報テーブル２４２、個別広告情報２４３、位置テーブル２４４を有する。記憶部２４０は、例えば、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００４２】
商品情報テーブル２４１は、表示装置４０を用いて複数の利用者に広告する商品の情報を保持するテーブルである。図５は、商品情報テーブルのデータ構造の一例を示す図である。図５に示すように、この商品情報テーブル２４１は、商品番号、商品広告、商品カテゴリ、商品名、ターゲット属性を有する。
【００４３】
図５において、商品番号は、商品を一意に識別する情報である。商品広告は、商品に関する広告の情報である。商品カテゴリは、商品のカテゴリを示す。商品名は、商品の名称を示す。ターゲット属性は、商品を販売場合のターゲットとなる顧客の属性を示すものである。例えば、ターゲット属性には、性別、年齢、職業、年収、身長、体重、住居形態、子供の性別、子供の年齢を有する。
【００４４】
利用者情報テーブル２４２は、各モバイル端末１００から取得する利用者情報を保持するテーブルである。図６は、利用者情報テーブルのデータ構造の一例を示す図である。図６に示すように、利用者情報テーブル２４２は、端末ＩＤ、購入履歴、閲覧履歴、個人情報を有する。端末ＩＤは、モバイル端末１００を一意に識別する情報である。購入履歴、閲覧情報、個人情報に関する説明は、図３に示した購入履歴、閲覧情報、個人情報に関する説明と同様であるため、説明を省略する。
【００４５】
個別広告情報２４３は、個人の利用者に配信する商品の情報を保持するテーブルである。図７は、個別広告情報のデータ構造の一例を示す図である。図７に示すように、この個別広告情報２４３は、商品番号、商品カテゴリ、商品名、商品属性、個人向け広告を有する。
【００４６】
図７において、商品番号は、商品を一意に識別する情報である。商品カテゴリは、商品のカテゴリを示す。商品名は、商品の名称を示す。商品属性は、商品の属性を示すものである。商品属性は、対象、年齢、色、価格、サイズなどが含まれる。個人向け商品広告は、商品に対応する個人向けの情報である。
【００４７】
位置テーブル２４４は、各表示装置４０の位置情報を保持する。図８は、位置情報のデータ構造の一例を示す図である。図８に示すように、この位置テーブル２４４は、識別情報と、配置座標とを対応付ける。識別情報は、表示装置４０を一意に識別する情報である。配置座標は、表示装置４０が配置される座標を示す。
【００４８】
図４の説明に戻る。制御部２５０は、取得部２５１、第１判定部２５２、第２判定部２５３、出力部２５４、配信部２５５を有する。例えば、制御部２５０は、ＡＳＩＣ（Application  Specific  Integrated  Circuit）や、ＦＰＧＡ（Field  Programmable  Gate  Array）などの集積装置に対応する。また、制御部２５０は、例えば、ＣＰＵ（Central  Processing  Unit）やＭＰＵ（Micro  Processing  Unit）等の電子回路に対応する。
【００４９】
取得部２５１は、各モバイル端末１００から利用者情報を取得する処理部である。取得部２５１は、取得した利用者情報を、利用者情報テーブル２４２に格納する。以下において、取得部２５１の処理の一例を具体的に説明する。
【００５０】
取得部２５１は、モバイル端末１００から認証要求を受け付けた場合に、認証応答を要求元のモバイル端末１００に送信する。続いて、取得部２５１は、モバイル端末１００から、開示フラグの情報を取得し、開示フラグが「ｏｎ」であるか「ｏｆｆ」であるかを判定する。取得部２５１は、開示フラグが「ｏｆｆ」である場合には、処理を終了する。
【００５１】
取得部２５１は、開示フラグが「ｏｎ」である場合には、モバイル端末１００に利用者情報の開示要求を行い、モバイル端末１００から利用者情報を取得する。取得部２５１は、利用者情報を、利用者情報テーブル２４２に格納する。
【００５２】
また、取得部２５１は、モバイル端末１００の開示フラグが「ｏｎ」である場合には、モバイル端末１００に位置情報を要求する。取得部２５１は、位置情報を、出力部２５４に出力する。
【００５３】
第１判定部２５２は、商品情報テーブル２４１および利用者情報テーブル２４２を比較して、表示装置４０を利用して複数の利用者に通知する商品情報を判定する処理部である。以下において、第１判定部２５２の処理の一例を具体的に説明する。
【００５４】
第１判定部２５２は、商品情報テーブル２４１および利用者情報テーブル２４２を比較し、端末ＩＤ「ｍ」の購入履歴に商品番号「ｎ」の商品カテゴリがあるか否かを判定する。ここで、端末ＩＤ「ｍ」はある端末ＩＤを示すものであり、商品番号「ｎ」はある商品番号を示すものである。
【００５５】
第１判定部２５２は、端末ＩＤ「ｍ」の購入履歴に商品番号「ｎ」の商品カテゴリがある場合には、商品番号「ｎ」に対応するポイントに１を加算する。また、第１判定部２５２は、端末ＩＤ「ｍ」の閲覧履歴に商品番号「ｎ」の商品カテゴリがある場合には、商品番号「ｎ」に対応するポイントに１を加算する。また、第１判定部２５２は、端末ＩＤ「ｍ」の個人情報が、商品番号「ｎ」のターゲット属性と一致している場合には、商品番号「ｎ」に対応するポイントに１を加算する。
【００５６】
第１判定部２５２は、上記処理を各端末ＩＤ１００ａ〜Ｍおよび各商品番号１〜Ｎに対して繰り返し実行することで、各端末ＩＤに対応する商品番号のポイントを集計した集計テーブルを生成する。図９は、集計テーブルのデータ構造の一例を示す図である。図９に示すように、この集計テーブルは、各端末ＩＤによって商品番号に与えたポイントと、そのポイントの合計値とを対応付ける。例えば、端末ＩＤ「１００ａ」によって商品番号「１」に「３」ポイント与えられ、端末ＩＤ「１００ｂ」によって商品番号「１」に「２」ポイント与えられる。また、端末ＩＤ「１００ｃ」によって商品番号「１」に「０」ポイント与えられ、端末ＩＤ「１００ｄ」によって商品番号「１」に「２」ポイント与えられる。そして、商品番号「１」に与えられたポイントの合計値が「７」となる。
【００５７】
第１判定部２５２は、集計テーブルを参照し、ポイントの合計値が最大となる商品番号を特定する。図９に示す例では、ポイントの合計値が最大となる商品番号は、商品番号「１」となる。第１判定部２５２は、特定した商品番号の情報を、出力部２５４に出力する。
【００５８】
第２判定部２５３は、利用者情報テーブル２４２および個別広告情報２４３を比較して、利用者個別に通知する商品情報を判定する処理部である。以下において、第２判定部２５３の処理の一例を具体的に説明する。
【００５９】
第２判定部２５３は、利用者情報テーブル２４２と個別広告情報２４３とを比較し、端末ＩＤの購入履歴、閲覧履歴、個人情報をキーとして、該キーにヒットする商品番号を特定する。第２判定部２５３は、複数の商品番号にヒットした場合には、ヒット数に応じて、商品番号を絞り込んでも良い。第２判定部２５３は、特定した商品番号と、端末ＩＤとの組を、配信部２５５に出力する。
【００６０】
例えば、図６の端末ＩＤ１００ａの購入履歴、閲覧履歴、個人情報をキーとして、ヒットする商品番号を、図７の個別広告情報２４３から特定すると、「メンズファッション」、「男性」、年齢「３０歳」という項目で、商品番号「１」、「２」がヒットする。この場合には、第２判定部２５３は、商品番号「１」、「２」と、端末ＩＤ「１００ａ」とを対応付けた情報を、配信部２５５に出力する。
【００６１】
出力部２５４は、表示装置４０に商品情報を出力する処理部である。出力部２５４は、出力先の表示装置４０を特定する処理と、表示装置４０に送信する商品情報を取得する処理を実行する。
【００６２】
出力部２５４が、出力先の表示装置４０を特定する処理について説明する。出力部２５４は、取得部２５１から各モバイル端末１００の位置情報を取得する。出力部２５４は、各モバイル端末１００の位置情報と、位置テーブル２４４とを比較して、各モバイル端末１００に最も近い表示装置４０を特定する。
【００６３】
例えば、出力部２５４は、モバイル端末１００の位置と最も近い表示装置４０を特定する処理を、モバイル端末１００毎に投票し、投票数が最も多い表示装置４０を、商品情報の出力先となる表示装置４０として特定する。
【００６４】
出力部２５４が、表示装置４０に送信する商品情報を取得する処理について説明する。出力部２５４は、第１判定部２５２から、商品番号の情報を取得する。出力部２５４は、商品番号と、商品情報テーブル２４１とを比較して、商品番号に対応する商品広告の情報を取得する。出力部２５４は、取得した商品広告の情報を、上記処理で特定した出力先の表示装置４０に送信する。
【００６５】
出力部２５４は、表示装置４０に商品情報を表示させる場合に、商品情報に加えて、利用者が自身の保持するモバイル端末１００に意識を向けるような情報を、表示装置４０に表示させても良い。例えば、出力部２５４は、商品情報に加えて「モバイル端末に商品に関するお得な情報を通知しました。」、「クーポン券を発行しました。」等の情報を、表示装置４０に表示させても良い。
【００６６】
なお、出力部２５４は、利用者の年齢などの特徴に応じて、表示装置４０が商品情報を表示する表示位置を制御しても良い。例えば、出力部２５４は、端末ＩＤと、利用者情報テーブル２４２とを比較して、利用者の年齢を特定する。出力部２５４は、利用者の年齢と、位置特定テーブルとを基にして、表示位置を特定し、表示装置４０に通知する。例えば、出力部２５４が、位置特定テーブルを保持しているものとする。
【００６７】
図１０は、位置特定テーブルのデータ構造の一例を示す図である。図１０に示すように、年齢と、表示位置とを対応付ける。例えば、出力部２５４は、利用者の年齢が０歳から５歳の場合には、表示装置４０の表示画面を３分割した際の下部分に、商品情報を表示させる。出力部２５４は、利用者の年齢が６歳から１０歳の場合に、表示画面の中部分に、商品情報を表示させる。出力部２５４は、利用者の年齢が１１歳以上の場合に、表示画面の上部分に、商品情報を表示させる。
【００６８】
更に、出力部２５４は、モバイル端末１００の位置情報に応じて、表示装置４０が商品情報を表示する表示位置を制御しても良い。例えば、出力部２５４は、モバイル端末１００の位置情報を基にして、各モバイル端末１００の平均位置が、表示装置４０の表示画面に対して、左側か、正面か、右側かを判定する。出力部２５４は、各モバイル端末１００の平均位置が、表示装置４０の表示画面に対して、左側である場合には、表示装置４０の表示画面の左半分に、商品の情報を表示させる。各モバイル端末１００の平均位置が、表示装置４０の表示画面に対して、右側である場合には、表示装置４０の表示画面の右半分に、商品の情報を表示させる。また、各モバイル端末１００の平均位置が、表示装置４０の表示画面に対して、正面である場合には、表示装置４０の表示画面の全面に、商品の情報を表示させる。
【００６９】
配信部２５５は、各モバイル端末１００に、個人向け商品広告を配信する処理部である。配信部２５５は、商品情報および端末ＩＤの組と、個別広告情報２４３とを比較して、各端末ＩＤのモバイル端末１００に送信する個人向け商品広告を特定する。配信部２５５は、端末ＩＤ毎に特定した個人向け商品広告を、該当するモバイル端末１００に送信する。
【００７０】
また、配信部２５５は、個人向け商品広告を配信する場合に、所定の店舗で商品を購入する場合の料金を割引するクーポンをあわせて配信しても良い。配信部２５５が、クーポンを配信した場合には、出力部２５４は、モバイル端末１００にクーポンを発行した旨の情報を表示装置４０に表示させる。
【００７１】
次に、本実施例に係るシステムの処理手順について説明する。図１１は、利用者情報を取得するまでのモバイル端末と広告サーバとのやり取りの処理手順を示すフローチャートである。図１１に示すように、モバイル端末１００は、アクセスポイント１０に接続し（ステップＳ１０１）、広告サーバ２００に認証要求を行う（ステップＳ１０２）。
【００７２】
広告サーバ２００は、認証要求を受け付けた場合に、モバイル端末１００に認証応答を行う（ステップＳ１０３）。モバイル端末１００は、認証応答を受け付けた後に、利用者情報の開示フラグの情報を、広告サーバ２００に送信する（ステップＳ１０４）。
【００７３】
広告サーバ２００は、モバイル端末１００から開示フラグの情報を受信し、開示フラグの情報が「ｏｎ」である場合に、利用者情報の開示要求をモバイル端末１００に対して行う（ステップＳ１０５）。モバイル端末１００は、広告サーバ２００から利用者情報の開示要求を受信した場合に、利用者情報を広告サーバ２００に送信する（ステップＳ１０６）。
【００７４】
次に、図１１に示したモバイル端末１００の処理手順を具体的に説明する。図１２は、モバイル端末の処理手順を示すフローチャートである。モバイル端末１００は、アクセスポイント１０を検索し（ステップＳ２０１）、アクセスポイントを検出したか否かを判定する（ステップＳ２０２）。モバイル端末１００は、アクセスポイント１０を検出していない場合には（ステップＳ２０２，Ｎｏ）、ステップＳ２０１に移行する。
【００７５】
モバイル端末１００は、アクセスポイント１０を検出した場合には（ステップＳ２０２，Ｙｅｓ）、アクセスポイント１０に接続する（ステップＳ２０３）。モバイル端末１００は、広告サーバ２００を検索し（ステップＳ２０４）、広告サーバ２００を検出したか否かを判定する（ステップＳ２０５）。モバイル端末１００は、広告サーバ２００を検出していない場合には（ステップＳ２０５，Ｎｏ）、ステップＳ２０４に移行する。
【００７６】
一方、モバイル端末１００は、広告サーバ２００を検出した場合には（ステップＳ２０５，Ｙｅｓ）、広告サーバ２００に認証要求を行う（ステップＳ２０６）。モバイル端末１００は、広告サーバ２００から認証応答を受信し（ステップＳ２０７）、利用者情報の開示フラグの情報を、広告サーバ２００に送信する（ステップＳ２０８）。
【００７７】
モバイル端末１００は、広告サーバ２００から利用者情報の開示要求を受信し（ステップＳ２０９）、広告サーバ２００に利用者情報を送信する（ステップＳ２１０）。
【００７８】
次に、図１１に示した広告サーバ２００の処理手順を具体的に説明する。図１３は、広告サーバの処理手順を示すフローチャート（１）である。図１３に示すように、広告サーバ２００は、モバイル端末１００から認証要求を受信し（ステップＳ３０１）、モバイル端末１００に認証応答を送信する（ステップＳ３０２）。
【００７９】
広告サーバ２００は、モバイル端末１００から利用者情報の開示フラグの情報を受信する（ステップＳ３０３）。広告サーバ２００は、利用者情報の開示フラグが「ｏｎ」か否かを判定する（ステップＳ３０４）。広告サーバ２００は、開示フラグが「ｏｎ」ではない場合には（ステップＳ３０４，Ｎｏ）、処理を終了する。
【００８０】
広告サーバ２００は、開示フラグが「ｏｎ」である場合には（ステップＳ３０４，Ｙｅｓ）、モバイル端末１００へ利用者情報の開示要求を行う（ステップＳ３０５）。広告サーバ２００は、モバイル端末１００から利用者情報を受信し（ステップＳ３０６）、利用者情報を利用者情報テーブル２４２に格納する（ステップＳ３０７）。
【００８１】
次に、広告サーバ２００が利用者情報を基にして、表示装置４０に商品情報を表示させ、各モバイル端末１００に商品情報を送信する処理手順について説明する。図１４は、広告サーバの処理手順を示すフローチャート（２）である。
【００８２】
図１４に示すように、広告サーバ２００は、判定処理を実行する（ステップＳ４０１）。広告サーバ２００は、商品広告の情報を特定する（ステップＳ４０２）。広告サーバ２００は、個人向け商品広告を特定し（ステップＳ４０３）、表示装置４０を特定する（ステップＳ４０４）。
【００８３】
広告サーバ２００は、表示装置４０に商品広告の情報を表示し、各モバイル端末１００に個人向け商品広告を配信する（ステップＳ４０５）。
【００８４】
次に、図１４のステップＳ４０１に示した判定処理の処理手順について説明する。図１５は、判定処理の処理手順を示すフローチャートである。図１５に示すように、広告サーバ２００は、商品情報テーブル２４１を参照し（ステップＳ５０１）、利用者情報テーブル２４２を参照する（ステップＳ５０２）。広告サーバ２００は、カウンタｎを初期化する（ステップＳ５０３）。例えば、カウンタｎの初期値を０とする。
【００８５】
広告サーバ２００は、ｎ＜Ｎの条件を満たすか否かを判定する（ステップＳ５０４）。ここで、Ｎは、ｎよりも大きい自然数である。広告サーバ２００は、ｎ＜Ｎの条件を満たさない場合には（ステップＳ５０４，Ｎｏ）、ポイントが最も高い商品番号を判定する（ステップＳ５０５）。
【００８６】
一方、広告サーバ２００は、ｎ＜Ｎの条件を満たす場合には（ステップＳ５０４，Ｙｅｓ）、カウンタｍを初期化する（ステップＳ５０６）。例えば、カウンタｍの初期値を０とする。
【００８７】
広告サーバ２００は、ｍ＜Ｍの条件を満たすか否かを判定する（ステップＳ５０７）。ここで、Ｍは、ｍよりも大きい自然数である。広告サーバ２００は、ｍ＜Ｍの条件を満たさない場合には（ステップＳ５０７，Ｎｏ）、ｎ＋１の値によってｎの値を更新して（ステップＳ５０８）、ステップＳ５０４に移行する。
【００８８】
一方、広告サーバ２００は、ｍ＜Ｍの条件を満たす場合には（ステップＳ５０７，Ｙｅｓ）、モバイル端末ｍの購入履歴に商品ｎの商品カテゴリが存在するか否かを判定する（ステップＳ５０９）。広告サーバ２００は、モバイル端末ｍの購入履歴に商品ｎの商品カテゴリが存在しない場合には（ステップＳ５０９，Ｎｏ）、ステップＳ５１１に移行する。
【００８９】
一方、広告サーバ２００は、モバイル端末ｍの購入履歴に商品ｎの商品カテゴリが存在する場合には（ステップＳ５０９，Ｙｅｓ）、商品ｎのポイントに１を加算し（ステップＳ５１０）、ステップＳ５１１に移行する。
【００９０】
広告サーバ２００は、モバイル端末ｍの閲覧履歴に商品ｎの商品カテゴリが存在するか否かを判定する（ステップＳ５１１）。広告サーバ２００は、モバイル端末ｍの閲覧履歴に商品ｎの商品カテゴリが存在しない場合には（ステップＳ５１１，Ｎｏ）、ステップＳ５１３に移行する。
【００９１】
一方、広告サーバ２００は、モバイル端末ｍの閲覧履歴に商品ｎの商品カテゴリが存在する場合には（ステップＳ５１１，Ｙｅｓ）、商品ｎのポイントに１を加算し（ステップＳ５１２）、ステップＳ５１３に移行する。
【００９２】
広告サーバ２００は、モバイル端末ｍの個人情報が商品ｎのターゲット属性に一致するか否かを判定する（ステップＳ５１３）。広告サーバ２００は、モバイル端末ｍの個人情報が商品ｎのターゲット属性に一致しない場合には（ステップＳ５１３，Ｎｏ）、ステップＳ５１５に移行する。
【００９３】
一方、広告サーバ２００は、モバイル端末ｍの個人情報が商品ｎのターゲット属性に一致する場合には（ステップＳ５１３，Ｙｅｓ）、商品ｎのポイントに１を加算し（ステップＳ５１４）、ステップＳ５１５に移行する。広告サーバ２００は、ｍ＋１の値によってｍの値を更新し（ステップＳ５１５）、ステップＳ５０７に移行する。
【００９４】
次に、本実施例に係るシステムの効果について説明する。本実施例に係る広告サーバ２００は、各モバイル端末１００から収集した利用者情報を基にして、各利用者が共通して興味を持つ商品情報を表示装置４０に表示させると共に、モバイル端末１００に注意を向けさせる。そして、広告サーバ２００は、利用者情報を基にして利用者毎に個別推定した商品情報を、各モバイル端末１００に配信する。これによって、通知した情報に対して利用者の興味を引くことが出来る。
【００９５】
また、本実施例に係るシステムは、各モバイル端末１００の位置情報と、表示装置４０の位置情報とを比較して、各モバイル端末１００に最も近い表示装置４０を特定し、特定した表示装置４０に商品情報を表示する。このため、各モバイル端末１００の利用者の気が付きやすい表示装置に、商品情報を表示することができる。
【００９６】
また、本実施例に係るシステムは、モバイル端末１００から開示フラグ情報を取得し、開示フラグが「ｏｎ」となっている場合に、モバイル端末１００から利用者情報を取得する。このため、利用者の意に反して、利用者情報が、広告サーバ２００に送信されてしまうことを防止することができる。
【００９７】
次に、上記実施例に示した広告サーバと同様の機能を実現する配信プログラムを実行するコンピュータの一例について説明する。図１６は、配信プログラムを実行するコンピュータの一例を示す図である。
【００９８】
図１６に示すように、コンピュータ３００は、各種演算処理を実行するＣＰＵ３０１と、ユーザからのデータの入力を受け付ける入力装置３０２と、ディスプレイ３０３を有する。また、コンピュータ３００は、記憶媒体からプログラム等を読取る読み取り装置３０４と、ネットワークを介して他のコンピュータとの間でデータの授受を行うインターフェース装置３０５とを有する。また、コンピュータ３００は、各種情報を一時記憶するＲＡＭ３０６と、ハードディスク装置３０７を有する。そして、各装置３０１〜３０７は、バス３０８に接続される。
【００９９】
ハードディスク装置３０７は、取得プログラム３０７ａ、判定プログラム３０７ｂ、出力プログラム３０７ｃ、配信プログラム３０７ｄを有する。ＣＰＵ３０１は、各プログラム３０７ａ〜３０７ｄを読み出してＲＡＭ３０６に展開する。
【０１００】
取得プログラム３０７ａは、取得プロセス３０６ａとして機能する。判定プログラム３０７ｂは、判定プロセス３０６ｂとして機能する。出力プログラム３０７ｃは、出力プロセス３０６ｃとして機能する。配信プログラム３０７ｄは、配信プロセス３０６ｄとして機能する。
【０１０１】
例えば、取得プロセス３０６ａは、取得部２５１に対応する。判定プロセス３０６ｂは、第１判定部２５２および第２判定部２５３に対応する。出力プロセス３０６ｃは、出力部２５４に対応する。配信プロセス３０６ｄは、配信部２５５に対応する。
【０１０２】
なお、各プログラム３０７ａ〜３０７ｄについては、必ずしも最初からハードディスク装置３０７に記憶させておかなくても良い。例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ３００がこれらから各プログラム３０７ａ〜３０７ｄを読み出して実行するようにしてもよい。
【０１０３】
以上の各実施例を含む実施形態に関し、さらに以下の付記を開示する。
【０１０４】
（付記１）複数のモバイル端末と、配信サーバと、表示装置とを有する配信システムであって、
前記配信サーバは、
複数のモバイル端末から利用者情報をそれぞれ取得する取得部と、
商品および該商品の特徴を対応付けた商品情報テーブルと複数の利用者情報とを基にして、利用者情報に対応する特徴を有するか否かを商品毎に判定し、利用者情報に対応した特徴を他の商品よりも多く有する商品を検索する第１判定部と、
前記商品情報テーブルと利用者情報とを基にして、利用者情報に対応する特徴を有する商品を判定する第２判定部と、
前記第１判定部に判定された商品の情報を前記表示装置に出力する出力部と、
前記第２判定部に判定された商品の情報を複数のモバイル端末に配信する配信部と
を有することを特徴とする配信システム。
【０１０５】
（付記２）前記出力部は、前記モバイル端末に商品の情報を配信したことを利用者に通知する情報を更に前記表示装置に出力することを特徴とする付記１に記載の配信システム。
【０１０６】
（付記３）異なる位置に複数の表示装置を有し、前記取得部は、前記モバイル端末の位置情報を更に取得し、前記出力部は、前記位置情報を基にして、商品の情報を出力する表示装置を判定することを特徴とする付記１に記載の配信システム。
【０１０７】
（付記４）前記取得部は、前記利用者情報を前記配信サーバに送信することが許容されているモバイル端末から、前記利用者情報を取得することを特徴とする付記１に記載の配信システム。
【０１０８】
（付記５）コンピュータが実行する配信方法であって、
複数のモバイル端末から利用者情報をそれぞれ取得し、
商品および該商品の特徴を対応付けた商品情報テーブルと複数の利用者情報とを基にして、利用者情報に対応する特徴を有するか否かを商品毎に判定し、利用者情報に対応した特徴を他の商品よりも多く有する第１商品を検索し、
前記商品情報テーブルと利用者情報とを基にして、利用者情報に対応する特徴を有する第２商品を判定し、
判定した前記第１商品の情報を前記表示装置に出力し、
判定した前記第２商品の情報を複数のモバイル端末に配信する
各処理を実行することを特徴とする配信方法。
【０１０９】
（付記６）前記出力する処理は、前記モバイル端末に商品の情報を配信したことを利用者に通知する情報を更に前記表示装置に出力することを特徴とする付記５に記載の配信方法。
【０１１０】
（付記７）前記取得する処理は、前記モバイル端末の位置情報を更に取得し、前記出力部は、前記位置情報を基にして、商品の情報を出力する表示装置を、複数の表示装置の中から判定することを特徴とする付記５に記載の配信方法。
【０１１１】
（付記８）前記取得する処理は、前記利用者情報を前記配信サーバに送信することが許容されているモバイル端末から、前記利用者識別情報を取得することを特徴とする付記５に記載の配信方法。
【符号の説明】
【０１１２】
１０  アクセスポイント
２０  Ｗｅｂサーバ
３０  ネット店舗
４０ａ，４０ｂ，４０ｃ  表示装置
１００ａ，１００ｂ，１００ｃ，１００ｄ  モバイル端末
２００  広告サーバ
【図１】
2015118414.tif 000003
【図２】
2015118414.tif 000004
【図３】
2015118414.tif 000005
【図４】
2015118414.tif 000006
【図５】
2015118414.tif 000007
【図６】
2015118414.tif 000008
【図７】
2015118414.tif 000009
【図８】
2015118414.tif 000010
【図９】
2015118414.tif 000011
【図１０】
2015118414.tif 000012
【図１１】
2015118414.tif 000013
【図１２】
2015118414.tif 000014
【図１３】
2015118414.tif 000015
【図１４】
2015118414.tif 000016
【図１５】
2015118414.tif 000017
【図１６】
2015118414.tif 000018